(57)【要約】【課題】  印刷データからを画面表示用のデータを出力することができる画像形成装置を提供する。【解決手段】  印刷対象の画像データ及び印刷コマンドを取得する取得手段と、印刷コマンドに基づいて、画像データから印刷用ビットマップデータへ展開する印刷用データ展開手段と、画像データから表示用データへ展開する表示用データ展開手段と、印刷用ビットマップデータと表示用データを記憶する画像メモリと、画像メモリに記憶されている印刷用ビットマップデータに基づいて印刷用紙へ印刷を行う印刷手段と、画像メモリに記憶されている表示用データに基づいて、表示装置へ表示する画像信号に変換して出力する表示データ変換出力手段とを備える。【選択図】    図１
2006221338.tif 000002
【特許請求の範囲】
【請求項１】
印刷対象の画像データ及び印刷コマンドを取得する取得手段と、
前記印刷コマンドに基づいて、前記画像データから印刷用ビットマップデータへ展開する印刷用データ展開手段と、
前記画像データから表示用データへ展開する表示用データ展開手段と、
前記印刷用ビットマップデータと前記表示用データを記憶する画像メモリと、
前記画像メモリに記憶されている前記印刷用ビットマップデータに基づいて印刷用紙へ印刷を行う印刷手段と、
前記画像メモリに記憶されている前記表示用データに基づいて、表示装置へ表示する画像信号に変換して出力する表示データ変換出力手段と
を備えたことを特徴とする画像形成装置。
【請求項２】
印刷用ビットマップデータと表示用データを記憶する画像メモリを備えた画像形成装置において動作する画像処理プログラムであって、
印刷対象の画像データ及び印刷コマンドを取得する取得処理と、
前記印刷コマンドに基づいて、前記画像データから印刷用ビットマップデータへ展開する印刷用データ展開処理と、
前記画像データから表示用データへ展開する表示用データ展開処理と、
前記画像メモリに記憶されている前記印刷用ビットマップデータに基づいて印刷用紙へ印刷を行う印刷処理と、
前記画像メモリに記憶されている前記表示用データに基づいて、表示装置へ表示する画像信号に変換して出力する表示データ変換出力処理と
をコンピュータに行わせることを特徴とする画像処理プログラム。
【発明の詳細な説明】
【技術分野】
【０００１】
本発明は、印刷データを表示装置等に表示する機能を有した画像形成装置に関する。
【背景技術】
【０００２】
従来から会議等において、ＯＨＰやスライドに代わって、プロジェクタを使用してパソコンの画面を直接スクリーンに投影することが行われている。例えば、会議等においてパソコンを操作する人のみならず、会議に参加する全ての人が、共有している画面に対し自由に文字等を記入することができ、会議等の進行を効率化する集合型電子コラボレーションシステムが知られている（例えば、特許文献１参照）。これは、パソコン等の映像信号、又はパソコン等が接続されていなければ白背景の映像信号をペイント機能を有する簡易アプリケーションのユーザインタフェースと共に薄型ディスプレイに表示し、会議の参加者がこの薄型ディスプレイにペン型の入力装置を用いて文字等を自由に記入することにより、会議等の参加者による共同作業を行うことを可能とし、共同作業によって作成した画面を静止画データとしてプリンタに印刷、またはＰＣカードへ保存できるものである。
【特許文献１】特開平１１−０７３１７４号公報
【発明の開示】
【発明が解決しようとする課題】
【０００３】
しかしながら、特許文献１に示す装置にあっては、会議の参加者全員分の薄型ディスプレイを用意しなければならず、装置のコストが高いという問題がある。また、自分の席に設置されているパソコンで作成したプレゼンテーション用の資料を会議室において投影しようとする場合、自分のパソコンを会議室へ持ち込むか、または、会議室に設置されているパソコンへデータを転送する必要がある。また、プレゼンテーション用の資料を会議の出席者の手元資料として配付する場合は、会議出席者人数分を予め複写して用意して置かなければならず、手間がかかるという問題がある。
【０００４】
本発明は、このような事情に鑑みてなされたもので、印刷データからを画面表示用のデータを出力することができる画像形成装置及び画像処理プログラムを提供することを目的とする。
【課題を解決するための手段】
【０００５】
本発明は、印刷対象の画像データ及び印刷コマンドを取得する取得手段と、前記印刷コマンドに基づいて、前記画像データから印刷用ビットマップデータへ展開する印刷用データ展開手段と、前記画像データから表示用データへ展開する表示用データ展開手段と、前記印刷用ビットマップデータと前記表示用データを記憶する画像メモリと、前記画像メモリに記憶されている前記印刷用ビットマップデータに基づいて印刷用紙へ印刷を行う印刷手段と、前記画像メモリに記憶されている前記表示用データに基づいて、表示装置へ表示する画像信号に変換して出力する表示データ変換出力手段とを備えたことを特徴とする。
【０００６】
本発明は、印刷用ビットマップデータと表示用データを記憶する画像メモリを備えた画像形成装置において動作する画像処理プログラムであって、印刷対象の画像データ及び印刷コマンドを取得する取得処理と、前記印刷コマンドに基づいて、前記画像データから印刷用ビットマップデータへ展開する印刷用データ展開処理と、前記画像データから表示用データへ展開する表示用データ展開処理と、前記画像メモリに記憶されている前記印刷用ビットマップデータに基づいて印刷用紙へ印刷を行う印刷処理と、前記画像メモリに記憶されている前記表示用データに基づいて、表示装置へ表示する画像信号に変換して出力する表示データ変換出力処理とをコンピュータに行わせることを特徴とする。
【発明の効果】
【０００７】
本発明によれば、自分の席に設置されているパソコンを使用して作成した印刷データを、会議室に設置されている画像形成装置へ送信し、会議に出席する人数に応じて、会議室において印刷を行うことが可能となる。また、印刷用の画像データを使用して、表示装置用の表示データに変換して出力するようにしたため、パソコンを会議室へ持ち込むことなくプレゼンテーションを行うことが可能となる。また、会議の出席者の配布資料として、印刷形態を変更して印刷することができるため、印刷用紙を節約することが可能となるとともに、印刷データに基づいて、表示装置への表示データに変換するようにしたため、配布資料と表示装置に表示する画像を完全に一致させることが可能となる。
【発明を実施するための最良の形態】
【０００８】
以下、本発明の一実施形態による画像形成装置を図面を参照して説明する。図１は同実施形態の構成を示すブロック図である。この図において、符号Ｐは、複写機能、印刷機能、画像読み取り機能、ＦＡＸ送受信機能を有する画像形成装置である。符号１は、画像形成装置Ｐの処理動作を統括して制御する制御部である。符号２は、テンキー、ファンクションキー、タッチパネル等から構成する入力部である。符号３は、液晶のディスプレイ等から構成する表示部であり、操作時のメニュー表示やメッセージ表示を行う。符号４は、原稿台上の原稿の画像を読み取り、画像データを出力するスキャナである。符号５は、画像データを記憶する画像メモリである。符号６は、印刷データからビットマップデータへ展開する画像展開部である。符号７は、画像展開によって得られたビットマップデータに基づいて、印刷形態を変更する処理を行う印刷形態変更部である。印刷形態は、４ｉｎ１印刷（４ページ縮小して１枚に印刷する）、２ｉｎ１印刷（２ページ縮小して１枚に印刷する）、片面印刷から両面印刷への変更、カラー印刷からモノクロ印刷への変更等を使用者が指定可能である。符号８は、用紙の給紙、用紙への画像転写、用紙の排紙を行うことにより画像の印刷を行う印刷部である。符号９は、ホストコンピュータから印刷データを受信して、印刷データを一時保持する受信バッファである。符号１０は、印刷するために得られたビットマップデータから画面表示用のデータに変換して出力する表示データ変換出力部である。符号１１は、印刷部８において印刷された印刷物である。符号１２は、印刷データを生成するパソコン（ホストコンピュータ）であり、ネットワークを介して、画像形成装置Ｐと接続される。符号１３は、スクリーンへ画像を投影するプロジェクタである。
【０００９】
次に、図２を参照して、図１に示す画像形成装置Ｐの動作を説明する。まず、制御部１は、画像データと印刷コマンドを取得（ステップＳ１）し、画像メモリ５に画像データを記憶し、印刷コマンドを制御部１内部に保持する（ステップＳ２）。ここで取得した画像データとは、受信バッファ９を経由して取得した印刷データ、スキャナ４によって読み取った画像データ、またはＦＡＸ受信した画像データのことである。以下の説明においては、パソコン２から受信した画像データ（印刷データ）と印刷コマンドに基づいて動作した場合について説明する。ここでいう印刷コマンドとは、印刷の出力形式を指定するものである。この印刷コマンドで指定する項目は、（１）用紙への印刷を行うか否か、（２）印刷を行う場合の印刷部数、（３）印刷を行う場合に印刷形態を変更するか否か、（４）印刷形態を変更する場合に印刷形態の指定である。ここでは、（１）印刷を行う、（２）１０部印刷する、（３）印刷形態を変更する、（４）２ｉｎ１印刷へ変更する、と印刷コマンドによって指定されたものとする。
【００１０】
次に、制御部１は、画像データ展開部６に対して、画像展開処理の実行を指示する。これを受けて、画像展開部６は、画像メモリ５に記憶されている画像データと制御部１内に保持されている印刷コマンドに基づいて、印刷用ビットマップデータに展開する（ステップＳ３）。このとき、画像展開部６は、画像メモリ５に記憶されているデータがスキャナ４によって原稿を読み取ったデータである場合は、既にビットマップデータになっているため、展開処理は行わない。画像展開部６は、得られたビットマップデータを画像メモリ５に記憶する（ステップＳ４）。
【００１１】
次に、画像展開部６は、画像メモリ５に記憶されている画像データに基づいて、表示用データを作成する（ステップＳ５）。このとき、画像展開部６は、制御部１内に保持している印刷コマンドを反映させずに、画像データを表示用のビットマップデータへ展開する。画像展開部６は、得られた表示用のビットマップデータを画像メモリへ記憶する（ステップＳ６）。
【００１２】
次に、制御部１は、印刷コマンドに基づいて、印刷を実行するか否かを判定する（ステップＳ７）。この結果、印刷を実行しないのであれば、ステップＳ９へ移行する。印刷を実行するのであれば、制御部１は、印刷コマンドに基づいて、印刷形態を変更するか否かを判定し、印刷形態を変更しないのであれば、制御部１は、指定された印刷部数に応じた印刷指示を画像展開部６及び印刷部８に対して出力する。これを受けて、画像展開部６は、画像メモリ５に記憶されているビットマップデータを順に読み出して、印刷形態変更部７へ出力する。このとき、印刷形態部７は、印刷形態を変更しないため、このビットマップデータをそのまま印刷部８へ出力する。印刷部８は、このビットマップデータに基づいて１０部分の印刷を行う（ステップＳ８）。これにより、印刷物１１が排紙される。
【００１３】
一方、印刷形態を変更する場合、制御部１は、画像展開部６、印刷形態変更部７及び印刷部８に対して、印刷形態を２ｉｎ１印刷に変更して印刷を行う指示を出力する。これを受けて、画像展開部６は、画像メモリ５に記憶されているビットマップデータを順に読み出して、印刷形態変更部７へ出力する。印刷形態変更部７は、画像展開部６から２ページ分のビットマップデータを受け取り、２ページ分のデータを１ページに縮小する処理を施した後に、印刷部８へ出力する。印刷部８は、縮小処理を施したビットマップデータに基づいて１０部分の印刷を行う（ステップＳ８）。これにより、印刷物１１が排紙される。
【００１４】
次に、制御部１は、入力部２からプロジェクタ１３への画像表示操作が行われた時点で、表示データ変換出力部１０に対して、表示データ出力を指示する。これを受けて、表示データ変換出力部１０は、１ページ目の表示用ビットマップデータを画像メモリ５から読み出し、プロジェクタ１３用の信号（ビデオ信号等）に変換してプロジェクタ１３へ出力する（ステップＳ９）。これにより、印刷データの１ページ目の画像がスクリーンに投影されることになる。制御部１は、入力部２からページ切り換えの指示操作が行われる度に、表示対象のページ表示指示を表示データ変換出力部１０に対して出力する。これを受けて、表示データ変換出力部１０は、表示対象のページのビットマップデータを画像メモリ５から読み出し、プロジェクタ１３用の信号に変換してプロジェクタ１３へ出力する。
【００１５】
このように、自分の席に設置されているパソコン１２を使用して作成した印刷データを、会議室に設置されている画像形成装置Ｐへ送信し、会議に出席する人数に応じて、会議室において印刷を行うことが可能となる。また、印刷用の画像データを使用して、表示装置（プロジェクタ１３）用の表示データに変換して出力するようにしたため、パソコンを会議室へ持ち込むことなくプレゼンテーションを行うことが可能となる。また、会議の出席者の配布資料として、印刷形態を変更して印刷することができるため、印刷用紙を節約することが可能となるとともに、印刷データに基づいて、表示装置への表示データに変換するようにしたため、配布資料と表示装置に表示する画像を完全に一致させることが可能となる。
【００１６】
なお、表示データ変換出力部１０は、プロジェクタ１３への出力を行うか否かを使用者が選択して設定できるようにしてもよい。また、図１においては、表示装置としてプロジェクタ１３を例にして説明したが、大型の液晶ディスプレイ等であってもよい。
【００１７】
また、図１における処理部の機能を実現するためのプログラムをコンピュータ読み取り可能な記録媒体に記録して、この記録媒体に記録されたプログラムをコンピュータシステムに読み込ませ、実行することにより画像処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００１８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００１９】
【図１】本発明の一実施形態の構成を示すブロック図である。
【図２】図１に示す装置の動作を示すフローチャートである。
【符号の説明】
【００２０】
Ｐ・・・画像形成装置、１・・・制御部、２・・・入力部、３・・・表示部、４・・・スキャナ、５・・・画像メモリ、６・・・画像展開部、７・・・印刷形態変更部、８・・・印刷部、９・・・受信バッファ、１０・・・表示データ変換出力部、１１・・・印刷物、１２・・・パソコン、１３・・・プロジェクタ
【図１】
2006221338.tif 000003
【図２】
2006221338.tif 000004